(57)【要約】      （修正有）【課題】パ−クゴルフ、グラウンドゴルフなどの、簡便、容易な球体捕捉器を提供する。【解決手段】安全性を重視して、捕捉しようとする球体の直経より約１ｍｍ〜３ｍｍ大きなゴム球（軟式テニス球のようなもの）を３分割に切断し、そのうちの２個のゴム断片を組み合わせ、椀状ゴム断片の内面に、皿状のゴム断片をゴム用ボンド糊で圧着補強を加工し、開口部外縁に、数ケ所の穴あき切り込みを工作し、狭着力、柔軟性、開口部ゴムの拡張による亀裂を防止させる。２個のゴム断片を接着のあと、その中心点に約２ｍｍ程度の、空気ぬきの穴をあけ、捕球のとき、発生する圧搾空気を排出させる加工をする。生ゴム製のゴムベルトを約６ｍｍ〜１０ｍｍ程度に切断し開口部より３ｍｍ程度下部の内側または外側にゴム用ボンドで圧着させる。以上の加工を完了した、椀状ゴム半球体の空気ぬき穴に、すべりどめキャツプの蓋切断面の中心点を合わせてゴム用ボンド糊にて固着する。【選択図】図３
2009207866.tif 000002
【特許請求の範囲】
【請求項１】
（イ）拾い上げようとする球体の直経より約２ｍｍ〜３ｍｍ程度、内径の大きなゴム製の球（軟式テニス球のようなもの）を直経の、約６５％、約１０％、２５％に輪切りに切断し３分割にする。
（ロ）椀状になった半球体ゴム断片の内底部中心に、皿状のゴム断片をゴム用接着材で圧着させる。
（ハ）リング状のゴム断片は廃棄する。
（ニ）半球体ゴム球の開口部に均等距離で複数ケ所に約６ｍｍ〜１０ｍｍ程度の長さで約４ｍｍの穴あき切れこみを加工する。
（ホ）加工した部品の開口部外周または内周に約３ｍｍ程度、円周より下部に生ゴム製のリングベルトを圧着させる。
（ヘ）加工した部品の椀状ゴム球体を開口部を伏せた状態の頂点中心位置に、嵌入させようとするグリツプ、シャフト、棒、竿などの経に適合するすべりどめキヤツプの蓋部分を切除したものを圧着させる。
（ト）すべりどめキャツプと加工した部品との圧着されたゴム円の中心点に約２ｍｍの空気ぬきの穴を設ける。
以上の構成よりなる、この発明品は身体不自由者、後期高齢者などの介肋器具であり球体を簡便、容易、安全に捕捉するため球体および多角形のものであれば取りつけ、取り外し自由となり、ゴム球のサイズ、材質を変更すれば多用途に応用できることを特徴とする球体捕捉器である。
【発明の詳細な説明】
【技術分野】
【０００１】  この発明は、パ−クゴルフ、グラウンドゴルフなどの使用球（直径６Ｃｍ，重量８５ｇ，硬化プラスチツク製）を簡単、容易に拾い上げるために、各クラブシャフトのグリツプエンドに吸着力のあるゴム半球を取りつけ可能にした球体捕捉器に関するものである。
【背景技術】
【０００２】  従来、パ−クゴルフ、グラウンドゴルフ、ゲ−トボ−ルなど高齢者向けの健康保持、促進をうながすスポ−ツ用具でクラブシャフトやステイツクにカツプ内やコ−ス上に転がり静止した球を敏速、簡単、容易に拾い上げるための部品が装着されているものはなかつたた。
【発明の開示】
【発明が解決しようとする課題】
【０００３】  中高年者、後期高齢者を対象に健康保持、維持促進のため「お年寄りを屋内から屋外へ」「適度の運動を」が国民的な活動となっている。
高齢者の中には「参加したくとも足、腰、膝などが痛くて・・・・」などの理由で屈み込んで球を拾い上げることに苦痛を感じながら参加している方々も数多くみられ、これを解消させるような、球体捕捉器はなかつた。
【課題を解決するための手段】
【０００４】  ゴム製の球（軟式用テニス球ようなもの、回収する球より約１ｍｍ〜３ｍｍ程度大）を図１に示すラインのとおりに輪切りし３分割する。
３分割されたゴム片を、図２の６、のように図１の３のゴム半球内面にゴム弾性強化のためボンド糊にて圧着させる。
図２の５の部分は本体ゴム球の厚さしか無いが、拾い上げる球を嵌入させる際に、ほどよいクツションとなる。
図３の７に示す部分は、半円球開口部に複数ケ所の長さ約６ｍｍ〜１０ｍｍ程度、穴の経、約４ｍｍ程度のきりこみをいれて、球体捕捉の際、開口部の拡張、ゴムの引き裂けを防止するための加工を行う。
図２の４の部分は、椀状半円球の開口部円周の内側または外側に円周より約３ｍｍ程度下部に、生ゴム製リングベルト（市販品、１ｍｍ厚、幅員自由あり）を円周に沿ってボンド糊で圧着させる。
テ−ブル、椅子などの脚用すべり止めキャツプ（約２４ｍｍ〜３６ｍｍ、市販品）を利用して蓋部分を切除して、図３の８のように、嵌入させるシャフト、棒、竿などの径に合わせたものを、図２に示す半円椀状ゴム球体の外面中心にボンド糊で圧着させる。
キャツプ圧着後、ゴム球体とキャツプとにできた円中心点に空気ぬきのため２ｍｍ程度の穴をあける。
図３の９の、すべり止めキャツプの差し込み部は、シャフトなどとは糊着せず取り外し自由とした。以上を特徴とする、球体捕捉器である。
【発明の効果】
【０００５】  少子高齢化が進んでいる現在、団塊の世代を含めて老人力の発揚が求められ、より健康的な老後生活を過ごしながら社会の一翼を支えていく為にも高齢者の健康保持、維持ならびに被介護者の減少などを促進させることは、国民的な運動となつている。
僅かな体調不良のため、家にひきこもりがちな人々も多数おり、地域住民の方々の勧めにより前記、各種の競技に参加しても短期間で心ならずも退会し、再び、ひきこもり人生となってしまった人も多い。
このような現況を、少しでも簡便、安易にプレ−でき苦痛を取り除ければ、と考案し球体捕捉器を発明したものである。
この球体捕捉器は既製品のゴム球から作成するとまには、残材となるものはきわめて少なく、すべてがゴム製品であり使用に際しての事故は皆無である。
他の利用法としては、高所に設置された電球の取り替えなどにも便利である。
【発明を実施するための最良の形態】
【０００６】  以下、本発明の実施の形態について説明する。
（イ）作成にあたつて、ゴム球は軟式テニス球程度の柔らかい素材がよいが、そのままのゴム球では拾い上げる硬化プラスチツクなどの球を掩蓋、捕捉するとき、軟弱で不可能であったので、ゴム球の直経の２５％（図１の１）、１０％（図１の２）、６５％（図１の３）のように３分割、輪切りにする。
（ロ）図１の２の、リング状ゴム断片は除外、廃棄する。
（ハ）図２の６の内底部中心に、図１の１の外底部中心を合わせて、ゴム用ボンドにて圧着して、軟弱なゴム球の補強を加工する。
（ニ）前記、（ハ）の圧着接合させた中心点に、約２ｍｍ程度の、空気ぬき穴を工作する。
（ホ）図３の７の、穴あき切り込みは、前記（ニ）部品の開口部縁に均等距離で数ケ所に加工する。
（ヘ）切り込み長さは約６ｍｍ〜１０ｍｍ程度とし、先端に約４ｍｍ程度の穴をあけ、拾い上げる球体を掩蓋、捕捉するとき開口部が拡がり、狭着力のバランスを保ち、ゴム材質の亀裂を防止する。
（ト）図２の４の、開口部外円周より約３ｍｍ程度下部の内周または外周に、生ゴム製のリングベルト（市販品、厚さ１ｍｍ、幅員は自由）を約６ｍｍ〜１０ｍｍ程度に切断し内周、または外周にゴム用ボンドにて圧着させる。
（チ）以上の工作がなされた部品外側に、椅子、テ−ブルなどの、すべり止めキャツプ（約２４ｍｍ〜３６ｍｍ、市販品）を利用して、キャツプの蓋部分を切除し（ニ）の空気ぬき穴を中心とした円形の位置に切除したキャツプの円形部分をゴム用ボンドにて圧着させる。
（リ）すべり止めキャツプのサイズは、嵌入させようとする、グリツプ、シャフト、棒、竿などと適合するものを選択し、挿し込みの部分は糊着せず取り外し自由とする。
（ヌ）これを利用しようとするとき、球体に近い多角体にも適合でき、雑利用に活用しても差し支えない。
本発明は以上のような構成である。
しかし、パ−クゴルフ、グラウンドゴルフなどの公認スポ−ツ競技では、それぞれに規約、ル−ルがあり、公認クラブの改造に抵触することもあるので、公式プレ−に参加するときには、競技委員に届け出て承認を得る必要があるが、この球体捕捉器を利用しようとする人は身体不自由者、後期高齢者多いため公式プレ−に参加する人は少なく、このような介護用具になる球体捕捉器などは、ロ−カルル−ルとして容認する競技団体が増加しつつある。
【図面の簡単な説明】
【０００７】
【図１】本発明のゴム球の切断図
【図２】本発明の半円球の断面図
【図３】本発明で完成した状態の断面図
【符号の説明】
【０００８】      １    ゴム球を３分割し皿状となった２５％の部分
２    ゴム球を３分割しリング状となった１０％の部分
３    ゴム球を３分割し椀状となった６５％の部分
４    生ゴム製のリングベルトを圧着する位置
５    椀状ゴム球の補強されていない部分
６    椀状ゴム球の内底部に皿状ゴム断片を圧着する位置
７    ４ｍｍ程度の、穴あき切り込みを加工する位置
８    すべり止めキャツプの圧着位置
９    空気ぬき穴とシャフト、棒、竿などの嵌入位置
【図１】
2009207866.tif 000003
【図２】
2009207866.tif 000004
【図３】
2009207866.tif 000005